(57)【特許請求の範囲】
【請求項１】
ローラに装着されて、該ローラとともに回転することにより媒体を分離するローラゴムにおいて、
幅方向の中央に溝部と、二つの端部とを設け、
突起部と穴部とを備えたベルトを前記溝部に沿って張設可能なローラゴムであって、
該ローラゴムの周囲に前記ベルトを巻き付けた状態で前記ベルトを張引し、前記穴部に前記突起部の先端部分を貫通させた後、該先端部分を前記端部間の間隙に挟み込むことにより前記ローラに固定されることを特徴とするローラゴム。
【請求項２】
請求項１記載のローラゴムを装着したローラにて媒体を分離することを特徴とする媒体処理装置。
【発明の詳細な説明】
【技術分野】
【０００１】
本発明は、媒体を分離するローラ機構に脱着可能なローラゴム及び、該ローラゴムを装着した媒体処理装置に関するものである
【背景技術】
【０００２】
近年、ＡＴＭ（現金自動預入支払機）が提供する金融サービスは２４時間稼動や休日稼動のように長時間化する傾向にある。このようなＡＴＭは稼動時間に合わせて出金が可能なように十分な量の紙幣を収納している。図８は一般的なＡＴＭの外観を示したものである。２１はＡＴＭの本体を表している。本体２１の前面には通帳挿入口２２、カード挿入口２３、顧客操作表示部２４、接客口２５が設けられている。顧客は本体２１の前面に立ち、顧客操作表示部２４に表示される手順に従って、通帳挿入口２２あるいはカード挿入口２３から通帳またはカードを挿入した後、手順に従って接客口２５から所持している紙幣を入金するか、出金の場合は接客口２５内に集積された紙幣を取り出す。
【０００３】
図９は本体２１の構造を側面から見た構成図を示している。２６は接客口２５に顧客が挿入した紙幣を集積して一時蓄積する一時保留部であり、２７は、図示しない鑑別部により不良紙幣であると判定された紙幣を集積するリジェクト収納庫、２８は鑑別部により紙幣の金種を特定し、当該金種の種別毎に紙幣が区別されて収納される金種別紙幣収納庫であり、例えば、万円券、千円券、五千円券等の金種別に複数の紙幣収納庫を用意し、金種鑑別の結果により振り分けて収納する。また、顧客の取引によって所定の金額の紙幣が出金されるときは、金種別紙幣収納庫から顧客の希望する金額の紙幣を必要に応じて繰出し接客口２５から出金する。金種別紙幣収納庫２８の各収納庫の出入口には紙幣分離機構３０が設けられ、当該装置の動作により格納された紙幣が分離して繰り出される。
【０００４】
図６は紙幣分離機構３０を側面から見た状態の構成図であり、図７は紙幣分離機構３０を上方から見た状態を示した構成図である。紙幣分離機構３０には、揺動機構Ａが設けられている。揺動機構Ａは、分離ローラ１３により分離された紙幣Ｂを図示しない搬送路に導くために設けられた搬送ローラ１４の回転支軸に対して、分離ローラ１３を揺動可能に支持する部材とその図示しない駆動源からなる。分離ローラ１３は装置本体に回転可能に固定されているローラ部１３ａとその周囲に装着されたローラゴム１から成り立っている。紙幣分離時には、当該部材を紙幣Ｂに接近するように揺動機構Ａを動作させると、分離ローラ１３が回転しながら、集積された最上部の紙幣Ｂに接触しローラゴム１の摩擦により紙幣Ｂを１枚分離し、搬送ローラ１４の回転により搬送路に紙幣Ｂが送り出される。
【特許文献１】特開平０６−２１９５９６号
【発明の開示】
【発明が解決しようとする課題】
【０００５】
上記装置においては、ローラ部１３ａに装着されたローラゴム１の摩擦力が低下していると、紙幣の分離力が低下し二枚送りやジャムの原因となることから、該分離力を保つために、長時間の使用により寿命がきて摩擦力の劣化したローラゴム１は定期的に交換する必要がある。しかし、ローラゴム１の交換に当たっては、ローラ部１３ａの回転軸の周辺の部品を取り外さなくてはならず、作業に時間を要し、ＡＴＭの長時間運用では交換作業も頻繁になるため作業者の負担となっていた。
【課題を解決するための手段】
【０００６】
上記課題を解決するために、本発明では、第１の発明としてローラゴムを装着したローラを回転することにより媒体を分離する媒体処置装置において、ローラゴムに幅方向の中央に溝部と二つ端部を設けた構造とし、溝部に沿ってベルトを張設することによりローラ部にローラゴムを固定するようにした。
【０００７】
第２の発明として、ローラゴムを装着したローラを回転することにより媒体を分離する媒体処置装置において、ローラゴムは二つの端部と、二つの端部にそれぞれ係止部とを設けて構成し、係止部が互いに係止することにより前記ローラに固定されるようにした。
【０００８】
第３の発明として、ローラゴムを装着したローラを回転することにより媒体を分離する媒体処置装置において、ローラゴムに二つの端部と、一方の端部に突起部と、もう一方の端部に凹部とを有するように構成し突起部と凹部が連結することにより前記ローラに固定されるようにした。
【発明の効果】
【０００９】
上記発明によりローラ部の周辺部品を取り外すことなくローラゴムの装着が容易に行えるので、ＡＴＭの保守作業の工数を削減することができる。
【発明を実施するための最良の形態】
【００１０】
以下に本発明を実施するための最良の形態である実施例１乃至３について説明する。
【実施例１】
【００１１】
本発明の実施例１のローラゴムは幅方向の中央に溝部を設けると共に、ローラゴムの円周上の一部を切断することにより二つの端部を形成し、ローラ部に装着する時は、二つの端部を把持してローラ部に巻きつけた後、ローラゴムの溝部に沿って別に設けたベルトを張設して、ローラ部の円周上に装着し固定するようにしたものである。
【００１２】
本実施例の構成について説明する。前述したように図７の紙幣分離機構３０の揺動機構Ａにより、分離ローラ１３は集積れた紙幣Ｂの上方で揺動可能になっている。分離ローラ１３のローラ部１３ａの周囲にはローラゴム１が装着される。紙幣分離時には、当該部材を紙幣Ｂに接近するように揺動機構Ａを動作させると、分離ローラ１３が回転しながら、集積された最上部の紙幣Ｂに接触しローラゴム１の摩擦により紙幣Ｂを１枚分離し、搬送ローラ１４の回転により搬送路に紙幣Ｂが送り出される。図１（ａ）は本実施例のローラゴム１を示した図である。ローラゴム１は環状に形成されており円周の一部が切断されている。これにより二つの端部３及び４が形成されている。また、ローラゴム１は、ローラ部１３ａから取り外されている状態で適度な柔らかさを有しているため、端部３と４を把持して左右に移動させることで端部３と４間の間隙を容易に開くことができる。ローラゴム１の周囲には幅方向の中央に溝部２が形成されている。端部３と及び４が接する程度に互いに引き寄せられている状態では、ローラゴム１の内径はローラ部１３ａの外径より小さくなるように形成されている。
【００１３】
図１（ｂ）は図１（ａ）のローラゴム１をローラ部１３ａの回転軸方向と直交する方向から見た断面を示したものである。溝部２の両側にはローラゴム１が紙幣に接触する面５が形成されており、媒体を繰出す際に滑りが生じないようにするために滑り止めの刻み加工が施されている。図２はローラゴム１をローラ部１３ａに固定するために使用するベルト６である。ベルト６の両端には金属により形成された端子７と８が設けられている。一方の端子７には突起部７ａが、もう一方の端子８には穴部８ａが設けられている。突起部７ａはベルト６の幅より細く形成され先端が直角に曲げられている。ベルト６の長さはローラゴム１の円周の長さにほぼ等しくなっている。また、ベルト６のゴムローラ１に接触する面は、反対側の面より高摩擦になるように、ざらつきや細かい刻み等の表面加工が施されている。
【００１４】
図３は、ローラ部１３ａにローラゴム１及びベルト６を装着した状態をローラ部１３ａの回転軸方向から見た構造を示したものである。ローラゴム１の取り付けに当たっては、端部３と４を把持して左右に移動させて端部３と４間の間隙を開き一方の端部、例えば端部３を把持してローラ部１３ａの下部と最上部の媒体との間にできた間隙にローラ部１３ａの回転軸と直交する方向に挿入する。ローラ部１３ａの下部の後方から挿入した一方の端部３を引き出し、ローラゴム１を半分程度の長さの位置まで引き出す。
【００１５】
ローラ部１３ａの手前に残ったローラゴム１の一方の端部４を別の手で支持して、一方の手で端部３を、もう一方の手で端部４を把持した状態で、端部３及び４をローラ部１３ａの上方に引き上げ、ローラゴム１がローラ部１３ａの周囲に巻きつくようにして、ローラ部１３ａ上方で端部３及び４を近づける。これによりローラゴム１はそのものが有している弾性により形状を維持しローラ部１３ａの円周上に仮止めされる。
【００１６】
その後、ローラゴム１と同様の方法により、突起部７ａ及び端子７をローラ部１３ａ及びローラゴム１の下方に差し入れて、べルト６を溝部２に沿ってローラゴム１の周囲に巻きつける。ローラベルト１の上方で突起部７ａと穴部８ａを互いに手で接近させるとともにベルト７を引っ張る。これにつられてローラゴム１が伸長し、その内径はローラ部１３ａの外径とほぼ同じ長さになり、端部３と４が引き寄せられて互いに接触する。その後、突起部７ａの先端の直角に曲がった部分を穴部８ａに挿入して、ベルト６を固定する。固定時に穴部８ａを貫通した突起部７ａの先端の曲がった部分は、ローラベルト１の端部３と４間の間隙に挟みこまれる。これにより、ローラゴム１はローラ部１３ａとの接触面で密着しガタがなくなり確実に固定される。
【００１７】
ベルト６はローラゴム１の溝部２に沿ってローラゴム１の円周上に張設されており、ベルト６の幅は、溝部２の幅よりやや狭く形成されているのでベルト６は完全に溝部２の間に収まり、ローラゴム１が紙幣Ｂに接触しても、ベルト６が分離の際に媒体に接触することがなく、突起部６ａの先端もローラゴム１の表面に突出することが無く、紙幣Ｂの分離の邪魔にならずにスムースに分離動作を行うことができる。また、ベルト６のゴムローラ１に接触する面は、反対側の面より高摩擦に形成されているので、ローラゴム１とベルト６の接触面において滑りが生ずることがなく、紙幣Ｂの繰出し中にローラゴム１及びベルト６が緩むことがなくなる。
【００１８】
なお、上記した本発明の実施例１では、ローラゴム１とは別に設けたベルト６により固定するようにしたが、ベルトとローラゴム１を一体で形成してもよい。
【実施例２】
【００１９】
本発明の実施例２は実施例１のローラゴム１の端部３及び４に２つの係止部を設け、２つの係止部が互いに係止することによりローラ部１３ａの周囲に固定されるようにしたものである。本実施例においてベルト６は使用せず、ローラゴム１が単独でローラ部１３ａに固定できるようになっている。
【００２０】
図４は実施例２のローラゴム１の構造を示した図である。９及び１０は各々端部３及び４に取り付けられた金具等からなる係止部である。ローラゴム１は実施例１と同様に、端部３と及び４が接する程度に互いに引き寄せられている状態では、ローラゴム１の内径はローラ部１３ａの外径より小さくなるように形成されている。本実施例のローラゴム１の装着に当たっては、実施例１と同様にローラゴム１本体にローラ部１３ａの周囲に巻きつけて仮止めした後、端部３と４を引っ張ってローラゴム１を伸長するとともに係止部９及び１０を互いに係止する。ローラゴム１の内径はローラ部１３ａの外径と同じ長さになり、その結果生じる引っ張り力により、係止部９及び１０は左右に引かれることによりローラゴム１はローラ部１３ａに密着して固定される。
【実施例３】
【００２１】
本発明の実施例３では、実施例１のローラゴム１の端部３及び４に突起部と凹部を設け、突起部が凹部に圧入されて連結するようにしたものである。ローラゴム１はベルト３を必要とせずに単独でローラ部１３ａに装着される。図５は実施例３のローラゴム１を示した図である。
【００２２】
１１はローラゴム１の端部３に設けられた凹部である。凹部の出口付近の径は後述する突起部１２の先端部分の直径より小さく形成されている。１２は別の端部４に設けた突起部であり、該突起部１２の先端は根元より直径が大きく球状に形成されている。ローラゴム１は、端部３と及び４が接する程度に互いに引き寄せられている状態では、ローラゴム１の内径はローラ部１３ａの外径より小さくなるように形成されている。ローラゴム１をローラ部１３ａに固定するに当たっては、ローラゴム１をローラ１３ａの周囲に巻きつけた後、二つの端部３と４とを引っ張り、突起部１２を凹部１１に押し当てると共に、手で力を加えると、頭部が押されて凹部の内部に押し込まれる。
【００２３】
凹部の奥の部分は、突起部１２の先端の球状部分と同じ径の球状の空間を有するように形成されているので、手で押し込んだ結果、突起部１２と凹部１１が密着しローラゴム１が連結される。突起部１２と凹部１１とが連結することによりローラゴム１本体が伸長し、その内径はローラ部１３ａの外径とほぼ同じ長さになる。上記構造により、突起部１２と凹部１１は一定量の力以上で引張らない限りは抜けることがないので、紙幣Ｂを分離する際に、不意の力がローラゴム１に加えられても容易に外れることがない。またローラゴム１の伸張により適度な引っ張り力が生じるので、ローラゴム１はローラ部１３ａに密着して固定される。
【図面の簡単な説明】
【００２４】
【図１】実施例１のローラゴムの構造を示した図である。
【図２】実施例１のベルトの構造を示した図である。
【図３】実施例１のローラゴムとベルトを装着した状態を示した図である。
【図４】実施例２のローラゴムの構造を示した図である。
【図５】実施例３のローラゴムの構造を示した図である。
【図６】紙幣分離機構の側面の構成図である。
【図７】紙幣繰出機構の上方から見た構成図である。
【図８】ＡＴＭの外観図である。
【図９】ＡＴＭの側面から見た構成図である。
【符号の説明】
【００２５】
１    ローラゴム
２    溝部
３    端部
４    端部
５    面
６    ベルト
７    端子
７ａ  突起部
８    端子
８ａ  穴部
９    係止部
１０    係止部
１１    凹部
１２    突起部
１３    分離ローラ
１３ａ  ローラ部
１４    搬送ローラ
【図１】
0004572842.tif 000002
【図２】
0004572842.tif 000003
【図３】
0004572842.tif 000004
【図４】
0004572842.tif 000005
【図５】
0004572842.tif 000006
【図６】
0004572842.tif 000007
【図７】
0004572842.tif 000008
【図８】
0004572842.tif 000009
【図９】
0004572842.tif 000010